(57)【要約】【課題】電気浸透除湿装置の提供。【解決手段】電気浸透除湿装置は、電源、該電源に電気的に接続された少なくとも一つの電極セット、及び、少なくとも一つの電気浸透膜を包含し、各電気浸透膜は各電極セットの第１電極と第２電極の間に設けられる。【選択図】図１
2014108425.tif 000002
【特許請求の範囲】
【請求項１】
電気浸透除湿装置において、
電源と、
該電源に電気的に接続された少なくとも一つの電極セットと、
少なくとも一つの電気浸透膜であって、各電気浸透膜は各電極セットの間に設けられた上記少なくとも一つの電気浸透膜と、
を包含したことを特徴とする、電気浸透除湿装置。
【請求項２】
請求項１記載の電気浸透除湿装置において、該電気浸透膜は多孔性、親水性で、表面に帯電性を具えた薄膜とされることを特徴とする、電気浸透除湿装置。
【請求項３】
請求項２記載の電気浸透除湿装置において、該薄膜の厚さは３０〜１０００μｍとされることを特徴とする、電気浸透除湿装置。
【請求項４】
請求項２記載の電気浸透除湿装置において、該薄膜の材質は、ナフィオン（登録商標）、ゼオライト、有機金属フレームワーク（ＭＯＦ）、或いはメソポーラスシリカ（Ｍｅｓｏ−ｐｏｒｏｕｓ  Ｓｉｌｉｃａ，ＭＰＳ）とされることを特徴とする、電気浸透除湿装置。
【請求項５】
請求項２記載の電気浸透除湿装置において、該薄膜のｐＨ値は４〜７とされることを特徴とする、電気浸透除湿装置。
【請求項６】
請求項２記載の電気浸透除湿装置において、該薄膜の表面電位は−１０ｍＶより小さいことを特徴とする、電気浸透除湿装置。
【請求項７】
請求項１記載の電気浸透除湿装置において、該電極セットは第１電極と第２電極を具え、該第１電極は該電気浸透膜の一側に設けられ、該第２電極は該電気浸透膜のもう一側に設けられることを特徴とする、電気浸透除湿装置。
【請求項８】
請求項７記載の電気浸透除湿装置において、該第１電極は該電気浸透膜の側面に接合され、該第２電極は該電気浸透膜のもう一つの側面に接合されることを特徴とする、電気浸透除湿装置。
【請求項９】
請求項７記載の電気浸透除湿装置において、該第１電極と該第２電極は可透水の導電層とされることを特徴とする、電気浸透除湿装置。
【請求項１０】
請求項９記載の電気浸透除湿装置において、該導電層は金属スパッタ、活性炭被覆或いは活性炭繊維被覆で形成されることを特徴とする、電気浸透除湿装置。
【請求項１１】
請求項１０記載の電気浸透除湿装置において、該金属スパッタで形成される導電層は、該導電層の材料が白金とされることを特徴とする、電気浸透除湿装置。
【請求項１２】
請求項１１記載の電気浸透除湿装置において、該白金のスパッタ厚さは２〜１０ｎｍとされることを特徴とする、電気浸透除湿装置。
【請求項１３】
請求項１０記載の電気浸透除湿装置において、該活性炭繊維被覆で形成される導電層は、その厚さが３００〜４００μｍとされることを特徴とする、電気浸透除湿装置。
【請求項１４】
請求項１記載の電気浸透除湿装置において、該電源は、交流電源、或いはバイアス交流電源、或いは直流電源直列接続交流電源とされることを特徴とする、電気浸透除湿装置。
【請求項１５】
請求項１４記載の電気浸透除湿装置において、該電源の交流電圧は３〜３０Ｖとされ、該電源の交流周波数は１００〜１００ｋＨｚとされ、或いは該電源の直流電圧が３〜３０Ｖとされることを特徴とする、電気浸透除湿装置。
とされる。
【請求項１６】
請求項１記載の電気浸透除湿装置において、少なくとも一つのファンをさらに包含し、該ファンは該電気浸透膜の一側に設けられることを特徴とする、電気浸透除湿装置。
【請求項１７】
電気浸透除湿方法において、
湿気を含む気体が少なくとも一つの電気浸透膜を通過することで、該気体中の湿気が除去され、該湿気は該電気浸透膜により吸収され、
電極セットが電場を発生し、該電極セットは第１電極と第２電極を具え、該第２電極はマイナス極とされ、該湿気はプラスに帯電し、該電気浸透膜の表面はマイナスに帯電し、プラスに帯電した湿気が該マイナス極の吸引を受けて、該プラスに帯電した湿気が該マイナス極の方向に移動させられ、並びに該マイナス極より該湿気が排出され、
以上のステップを包含することを特徴とする、電気浸透除湿方法。
【請求項１８】
請求項１７記載の電気浸透除湿方法において、該第１電極と該第２電極は可透水の導電層とされることを特徴とする、電気浸透除湿方法。
【請求項１９】
請求項１７記載の電気浸透除湿方法において、該マイナスの帯電と該プラスの帯電は電源により提供されることを特徴とする、電気浸透除湿方法。
【請求項２０】
請求項１９記載の電気浸透除湿方法において、該電源の交流周波数は、１００〜１００ｋＨｚとされ、該電源の交流電圧は３〜３０Ｖとされ、或いは該電源の直流電圧が３〜３０Ｖとされることを特徴とする、電気浸透除湿方法。
【請求項２１】
請求項１７記載の電気浸透除湿方法において、該電気浸透膜は多孔性、親水性で、表面に帯電性を具えた薄膜とされることを特徴とする、電気浸透除湿方法。
【請求項２２】
請求項２１記載の電気浸透除湿方法において、該薄膜の厚さは３０〜１０００μｍとされることを特徴とする、電気浸透除湿方法。
【請求項２３】
請求項２１記載の電気浸透除湿方法において、該薄膜のｐＨ値は４〜７とされることを特徴とする、電気浸透除湿方法。
【請求項２４】
請求項２１記載の電気浸透除湿方法において、該薄膜の表面電位は−１０ｍＶより小さいことを特徴とする、電気浸透除湿方法。
【請求項２５】
請求項２１記載の電気浸透除湿方法において、該表面がマイナスに帯電した電気浸透膜の表面電位は零より小さい、電気浸透除湿方法。
【請求項２６】
請求項１９記載の電気浸透除湿方法において、該電源は交流電源を有し、該交流電源は該電気浸透膜のインピーダンスを下げ、それにより、プラスに帯電した湿気の該マイナス極に向けての運動の抵抗を減らすことを特徴とする、電気浸透除湿方法。
【発明の詳細な説明】
【技術分野】
【０００１】
本発明は一種の電気浸透除湿装置及びその方法に係り、特に一種の、十分な除湿が行える方法とその装置に関する。
【背景技術】
【０００２】
湿度の制御は室内の空気品質を維持する上で重要な項目の一つであり、特に、暖かく湿度の高い気候の地域では、生活環境に対して、相対湿度を６０％以下に制御することで、大幅に黴菌の繁殖を減らすことができ、ゆえに、除湿の重要性はこれからも分かる。
【０００３】
既存の空調システムは、一般に除湿機能も具備しており、すなわち、該空調システムの約３０％の電気エネルギーは除湿機能のために消耗される。伝統的な除湿機は、電気エネルギーの消耗が非常に大きく、省エネ、二酸化炭素削減が求められる今日では、既存の空調システム、特にその除湿装置には、いまだ進歩可能な余地がある。
【発明の概要】
【発明が解決しようとする課題】
【０００４】
上述の、既存の空調システム、特にその除湿装置の、電気エネルギー消耗が大きいことを鑑み、本発明は省エネ、二酸化炭素削減に役立つ除湿装置を提供することを目的とする。
【課題を解決するための手段】
【０００５】
請求項１の発明は、電気浸透除湿装置において、
電源と、
該電源に電気的に接続された少なくとも一つの電極セットと、
少なくとも一つの電気浸透膜であって、各電気浸透膜は各電極セットの間に設けられた上記少なくとも一つの電気浸透膜と、
を包含したことを特徴とする、電気浸透除湿装置としている。
請求項２の発明は、請求項１記載の電気浸透除湿装置において、該電気浸透膜は多孔性、親水性で、表面に帯電性を具えた薄膜とされることを特徴とする、電気浸透除湿装置としている。
請求項３の発明は、請求項２記載の電気浸透除湿装置において、該薄膜の厚さは３０〜１０００μｍとされることを特徴とする、電気浸透除湿装置としている。
請求項４の発明は、請求項２記載の電気浸透除湿装置において、該薄膜の材質は、ナフィオン（登録商標）、ゼオライト、有機金属フレームワーク（ＭＯＦ）、或いはメソポーラスシリカ（Ｍｅｓｏ−ｐｏｒｏｕｓ  Ｓｉｌｉｃａ，ＭＰＳ）とされることを特徴とする、電気浸透除湿装置としている。
請求項５の発明は、請求項２記載の電気浸透除湿装置において、該薄膜のｐＨ値は４〜７とされることを特徴とする、電気浸透除湿装置としている。
請求項６の発明は、請求項２記載の電気浸透除湿装置において、該薄膜の表面電位は−１０ｍＶより小さいことを特徴とする、電気浸透除湿装置としている。
請求項７の発明は、請求項１記載の電気浸透除湿装置において、該電極セットは第１電極と第２電極を具え、該第１電極は該電気浸透膜の一側に設けられ、該第２電極は該電気浸透膜のもう一側に設けられることを特徴とする、電気浸透除湿装置としている。
請求項８の発明は、請求項７記載の電気浸透除湿装置において、該第１電極は該電気浸透膜の側面に接合され、該第２電極は該電気浸透膜のもう一つの側面に接合されることを特徴とする、電気浸透除湿装置としている。
請求項９の発明は、請求項７記載の電気浸透除湿装置において、該第１電極と該第２電極は可透水の導電層とされることを特徴とする、電気浸透除湿装置としている。
請求項１０の発明は、請求項９記載の電気浸透除湿装置において、該導電層は金属スパッタ、活性炭被覆或いは活性炭繊維被覆で形成されることを特徴とする、電気浸透除湿装置としている。
請求項１１の発明は、請求項１０記載の電気浸透除湿装置において、該金属スパッタで形成される導電層は、該導電層の材料が白金とされることを特徴とする、電気浸透除湿装置としている。
請求項１２の発明は、請求項１１記載の電気浸透除湿装置において、該白金のスパッタ厚さは２〜１０ｎｍとされることを特徴とする、電気浸透除湿装置としている。
請求項１３の発明は、請求項１０記載の電気浸透除湿装置において、該活性炭繊維被覆で形成される導電層は、その厚さが３００〜４００μｍとされることを特徴とする、電気浸透除湿装置としている。
請求項１４の発明は、請求項１記載の電気浸透除湿装置において、該電源は、交流電源、或いはバイアス交流電源、或いは直流電源直列接続交流電源とされることを特徴とする、電気浸透除湿装置としている。
請求項１５の発明は、請求項１４記載の電気浸透除湿装置において、該電源の交流電圧は３〜３０Ｖとされ、該電源の交流周波数は１００〜１００ｋＨｚとされ、或いは該電源の直流電圧が３〜３０Ｖとされることを特徴とする、電気浸透除湿装置としている。
とされるとしている。
請求項１６の発明は、請求項１記載の電気浸透除湿装置において、少なくとも一つのファンをさらに包含し、該ファンは該電気浸透膜の一側に設けられることを特徴とする、電気浸透除湿装置としている。
請求項１７の発明は、電気浸透除湿方法において、
湿気を含む気体が少なくとも一つの電気浸透膜を通過することで、該気体中の湿気が除去され、該湿気は該電気浸透膜により吸収され、
電極セットが電場を発生し、該電極セットは第１電極と第２電極を具え、該第２電極はマイナス極とされ、該湿気はプラスに帯電し、該電気浸透膜の表面はマイナスに帯電し、プラスに帯電した湿気が該マイナス極の吸引を受けて、該プラスに帯電した湿気が該マイナス極の方向に移動させられ、並びに該マイナス極より該湿気が排出され、
以上のステップを包含することを特徴とする、電気浸透除湿方法としている。
請求項１８の発明は、請求項１７記載の電気浸透除湿方法において、該第１電極と該第２電極は可透水の導電層とされることを特徴とする、電気浸透除湿方法としている。
請求項１９の発明は、請求項１７記載の電気浸透除湿方法において、該マイナスの帯電と該プラスの帯電は電源により提供されることを特徴とする、電気浸透除湿方法としている。
請求項２０の発明は、請求項１９記載の電気浸透除湿方法において、該電源の交流周波数は、１００〜１００ｋＨｚとされ、該電源の交流電圧は３〜３０Ｖとされ、或いは該電源の直流電圧が３〜３０Ｖとされることを特徴とする、電気浸透除湿方法としている。
請求項２１の発明は、請求項１７記載の電気浸透除湿方法において、該電気浸透膜は多孔性、親水性で、表面に帯電性を具えた薄膜とされることを特徴とする、電気浸透除湿方法としている。
請求項２２の発明は、請求項２１記載の電気浸透除湿方法において、該薄膜の厚さは３０〜１０００μｍとされることを特徴とする、電気浸透除湿方法としている。
請求項２３の発明は、請求項２１記載の電気浸透除湿方法において、該薄膜のｐＨ値は４〜７とされることを特徴とする、電気浸透除湿方法としている。
請求項２４の発明は、請求項２１記載の電気浸透除湿方法において、該薄膜の表面電位は−１０ｍＶより小さいことを特徴とする、電気浸透除湿方法としている。
請求項２５の発明は、請求項２１記載の電気浸透除湿方法において、該表面がマイナスに帯電した電気浸透膜の表面電位は零より小さい、電気浸透除湿方法としている。
請求項２６の発明は、請求項１９記載の電気浸透除湿方法において、該電源は交流電源を有し、該交流電源は該電気浸透膜のインピーダンスを下げ、それにより、プラスに帯電した湿気の該マイナス極に向けての運動の抵抗を減らすことを特徴とする、電気浸透除湿方法としている。
【発明の効果】
【０００６】
本発明は、既存の空調システム、特にその除湿装置の、電気エネルギー消耗が大きい問題に対し、省エネで、二酸化炭素削減に役立つ、電気浸透除湿装置及びその方法を提供する。
【図面の簡単な説明】
【０００７】
【図１】本発明の電気浸透除湿装置の表示図である。
【図２】一種の電気浸透試験装置の表示図である。
【図３】相対湿度対時間の比較図である。
【発明を実施するための形態】
【０００８】
ある実施例において、本発明は技術手段として、一種の電気浸透除湿装置を提供し、それは、
電源と、
電気的に該電源に接続された少なくとも一つの電極セットと、
少なくとも一つの電気浸透膜であって、各電気浸透膜が各電極セットの電極の間に設けられた上記少なくとも一つの電気浸透膜と、
を包含するものとする。
【０００９】
またある実施例において、本発明は一種の電気浸透除湿方法を提供し、それは、
湿気を含む気体が少なくとも一つの電気浸透膜を通過して、該気体中の湿気を除去し、該湿気は該電気浸透膜により吸収され、
電極セットが電場を発生し、該電極セットは第１電極と第２電極を具え、該第２電極はマイナス極とされ、該湿気はプラスに帯電し、該電気浸透膜の表面はマイナスに帯電し、プラスに帯電した湿気が該マイナス極の吸引を受けて、該プラスに帯電した湿気が該マイナス極の方向に移動させられ、並びに該マイナス極より該湿気が排出される。
【００１０】
以下に特定の具体的実施例により本発明の実施方式を説明する。本発明の属する技術領域における通常の知識を有する者であれば、本明細書に記載の内容により、容易に本発明を理解することができる。
【００１１】
図１を参照されたい。それは本発明の電気浸透除湿装置を記載し、それは、電源１、少なくとも一つの電極セット２、少なくとも一つの電気浸透膜２２及び少なくとも一つの選択性のファン２３を具えている。
【００１２】
電源１は交流電源、或いはバイアス交流電源（Ｂｉａｓｅｄ  Ａｌｔｅｒｎａｔｉｎｇ  Ｃｕｒｒｅｎｔ，Ｂｉａｓｅｄ  ＡＣ）、或いは直流電源直列接続交流電源とされ得て、たとえば、該電源１の交流電圧は３〜３０Ｖ、或いは該電源１の直流電圧は３〜３０Ｖ、該電源１の交流周波数が１００〜１００ｋＨｚとされる。
【００１３】
電極セット２は第１電極２０と第２電極２１を具え、第１電極２０と第２電極２１はそれぞれ電源１に電気的に接続され、これにより、第１電極２０がプラスの極性を有し、第２電極２１はマイナスの極性を有する。たとえば、該第１電極２０と該第２電極２１は可透水の導電層とされ、該導電層は金属スパッタ、活性炭粉被覆或いは活性炭繊維被覆により形成され、もし金属スパッタで形成されるなら、該導電層の厚さは２〜１０ｎｍとされ、好ましくは５ｎｍとされる。もし、活性炭繊維で被覆されて形成されるなら、活性炭繊維層の厚さは３００〜４００μｍとされる。
【００１４】
電気浸透膜２２は第１電極２０と第２電極２１の間に設けられ、第１電極２０は電気浸透膜２２の側面に接合され、第２電極２１は電気浸透膜２２のもう一つの側面に接合される。たとえば、電気浸透膜２２は多孔で、親水性で、表面に帯電性を有する薄膜とされ、たとえば、薄膜の材質は、ナフィオン（登録商標）、ゼオライト、有機金属フレームワーク（ＭＯＦ）、或いはメソポーラスシリカ（Ｍｅｓｏ−ｐｏｒｏｕｓ  Ｓｉｌｉｃａ，ＭＰＳ）とされる。該薄膜の厚さは３０〜１０００μｍで、且つ該薄膜の酸アルカリ値（ｐＨ）は４〜７、好ましくは５とされる。該薄膜の表面電位（Ｚｅｔａ  Ｐｏｔｅｎｔｉａｌ）は−１０ｍＶより小さい。
【００１５】
ファン２３は第１電極２０の、該電気浸透膜２２より遠く離れた一側に設けられ、たとえば、ファン２３の数量は、複数或いは少なくとも一つとされ得る。
【００１６】
以上を受け、本発明は一種の電気浸透除湿方法を開示し、それは以下を包含する。
図１を参照されたい。電源１は、電気エネルギーを電極セット２に提供し、これにより第１電極２０にプラスの極性を具えさせ、第２電極２１にマイナスの極性を具えさせ、ゆえに、該第２電極２１はマイナス極とされる。
【００１７】
選択性のファン２３は、湿気を有する気体、たとえば、空気を、少なくとも一つの電気浸透膜２２に向けて吹き送り、電気浸透膜２２は気体に含まれる湿気を吸収し、これにより該気体中の湿気を除去し、これにより該気体を乾燥気体となす。
【００１８】
電気浸透膜２２は十分に気体中の湿気、すなわち水分子を吸収できるため、電極セット２は電場を発生し、該湿気をプラスに帯電させ、プラスに帯電した湿気は、該電気浸透膜２２の表面にマイナスの電荷を発生させ、プラスの電荷を有する湿気が該マイナス極の方向に移動し、並びに該マイナス極より該湿気が排出される。
【００１９】
該表面がマイナスに帯電した電気浸透膜２２の表面電位（Ｚｅｔａ  Ｐｏｔｅｎｔｉａｌ）は零より小さい。
【００２０】
該電源１は、交流電源を包含し、交流電源を印加する効果は、電気浸透膜２２のインピーダンスを減らし、プラスに帯電した湿気のマイナス極に向けての運動の抵抗力を減らすことにある。
【００２１】
図２を参照されたい。それは本発明の、二つの密閉チャンバ３０、３１における応用の電気浸透試験を示す。
【００２２】
各密閉チャンバ３０、３１中には、ファン３００、３１０、温度コントローラー３０１、３１１、ヒーター３０２、３１２及び相対湿度計３０３、３１３が設けられている。温度コントローラー３０１、３１１は、ヒーター３０２、３１２に電気的に接続されて、ヒーター３０２、３１２をコントロールする。
【００２３】
上述の第１電極２０、第２電極２１及び電気浸透膜２２は二つの密閉チャンバ３０、３１の間に設けられ、電源１Ａは、第１電極２０と第２電極２１に電気的に接続され、電源１Ａは直流電源直列接続交流電源とされる。
【００２４】
上述の電気浸透試験は、さらに一歩、直流電圧、交流電圧、交流周波数と電気浸透膜２２の厚さの、除湿速度と除湿エネルギー効率に対する影響を説明する。
【００２５】
図２に示されるように、各密閉チャンバ３０、３１の体積は、１７５リットルとされ、温度コントローラー３０１、３１１とヒーター３０２、３１２は、各密閉チャンバ３０、３１の温度をコントロールして、各密閉チャンバ３０、３１を恒温状態に維持させる。
【００２６】
各密閉チャンバ３０、３１の湿度は、相対湿度計３０３、３１３で測定され、湿度の変化は各密閉チャンバ３０、３１の水分の変化とされ、こうして、電気浸透膜２２の除湿速度を推算でき、さらに電気浸透膜２２の通電パワーにより除湿エネルギー効率を推算する。
【００２７】
上述の電気浸透試験は、まず高低の因子を設定する必要があり、この高低の因子は以下の表に示されるとおりである。
【００２８】
【表１】
2014108425.tif 000003
【００２９】
上述の電気浸透試験の結果は、以下の表に示されるとおりである。
【００３０】
【表２】
2014108425.tif 000004
【００３１】
上の表に示されるように、直流電圧が５Ｖとされ、交流電圧が５Ｖとされ、交流電源周波数が１００Ｈｚとされ、電気浸透膜の厚さが３１０μｍとされる時、そのエネルギー効率は、４１３ｋｇ／ｋＷｈとされ、上述の番号１に示されるとおりである。
【００３２】
その他の番号と比較すると、直流電圧は１５Ｖ〜５Ｖで、交流電圧は５Ｖから１５Ｖ、交流電源周波数は１００Ｈｚ〜１０ｋＨｚとされ、電気浸透膜の厚さは３１０μｍ〜７３０μｍとされて、該エネルギー効率は２７５〜２．７ｋｇ／ｋＷｈであり、上の表から分かるように、番号１で設定された直流電圧、交流電圧、交流電源周波数と電気浸透膜の厚さは、比較的良好なエネルギー効率が得られる。
【００３３】
さらに上の表に示されるように、もし、直流電圧が１５Ｖ、交流電圧が５Ｖ、交流電源周波数が１００Ｈｚ、電気浸透膜の厚さが３１０μｍの時は、その除湿速度は０．０３９８Ｋｇ／ｍ2 ｈとされ、上述の番号２で示されるとおりであり、その他の番号と比較すると、直流電圧は５Ｖ〜１５Ｖで、交流電圧は５Ｖから１５Ｖ、交流電源周波数は１００Ｈｚ〜１０ｋＨｚとされ、電気浸透膜の厚さは３１０μｍ〜７３０μｍとされて、その除湿速度は０．０１１９Ｋｇ／ｍ2 ｈとされ、ゆえに、上の表から分かるように、番号２で設定された直流電圧、交流電圧、交流電源周波数と電気浸透膜の厚さは、比較的良好な除湿速度を得られる。
【００３４】
以上を受けて、図２も合わせて参照されたい。もし、密閉チャンバ３０が湿気のある気体を有するなら、ヒーター３０２と温度コントローラー３０１は、相対湿度計３０３により、ヒーター３０２を起動し、これにより密閉チャンバ３０内の湿度を調整し、ファン３００は、該気体を電気浸透膜２２に吹き送り、電気浸透膜２２に該気体中の湿気を吸収させ、湿気が除去された気体はもう一つの密閉チャンバ３１中に進入する。
【００３５】
上述したように、該密閉チャンバ３１のヒーター３１２と温度コントローラー３１１は、相対湿度計３１３の測定に基づき、ヒーター３１２を起動し、これにより、密閉チャンバ３１内の湿度を調整し、ファン３１０は該気体をヒーター３１２に向けて送風し、ヒーター３１２に該気体を加熱させ、密閉チャンバ３１に、一定の湿度状態を維持させる。
【００３６】
電源１Ａは、それぞれ電気エネルギーを、第１電極２０と第２電極２１に提供し、第１電極２０をプラスに帯電させ、第２電極２１をマイナスに帯電させ、ゆえに、第２電極２１はマイナス極とされ、該電気浸透膜２２が吸収する湿気はプラスに帯電し、該プラスに帯電した湿気はマイナス極の吸引を受け、該湿気がこれにより第２電極２１の方向に移動し、除湿の効果が発生する。
【００３７】
図３も合わせて参照されたい。内在環境がコントロールされ且つ閉じた二つの密閉チャンバ３０、３１内で電気浸透試験が行われ、且つ直流電圧、交流電圧、交流電源周波数と電気浸透膜の厚さはそれぞれ設定値とされる。
【００３８】
図３に示されるように、６０分間不通電の時、二つの密閉チャンバ内の相対湿度はそれぞれ９６％ＲＨ及び５７％ＲＨに維持される。６０分経過後に通電し、該電気浸透試験をある時間行った後、密閉チャンバ３０の湿度は大幅に下降し、それは図中の下向きに湾曲する曲線Ａのとおりである。密閉チャンバ３１の湿度はやや上昇し、それは図中の上向きに湾曲する曲線Ｂのとおりであり、密閉チャンバ３０の湿度が確実に電気浸透作用により、密閉チャンバ３１に移ったことが証明された。
【００３９】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４０】
１  電源
２  電極セット
２０  第１電極
２１  第２電極
２２  電気浸透膜
２３  ファン
１Ａ  電源
３０  密閉チャンバ
３００  ファン
３０１  温度コントローラー
３０３  相対湿度計
３１  密閉チャンバ
３１０  ファン
３１１  温度コントローラー
３１３  相対湿度計
Ａ  曲線
Ｂ  曲線
【図１】
2014108425.tif 000005
【図２】
2014108425.tif 000006
【図３】
2014108425.tif 000007